(57)【要約】  ハンガーおよび処理組成物ブロックを備えるトイレボウル処理組成物供出デバイス。ハンガー(２０)は、第１の端部および第２の端部を有する長尺な本体部(２１)と、トイレボウルの縁からハンガー(２０)を吊り下げるための第１の端部におけるフック部(２２)と、第２の端部におけるブロック支持部(２３)であって、支持部の表面から突出する少なくとも一つのフィンガー(２５)を有するブロック支持部(２３)とを備える。フック部(２２)および少なくとも一つのフィンガー(２５)は、本体部(２１)の同じ長手方向面および本体部(２１)の対向する長手方向面の一方から突出しており、かつ、処理組成物ブロック(１０)は、この処理組成物ブロックの表面に差し込まれた少なくとも一つのフィンガーによってブロック支持部(２３)上で保持される。
2013531152.tif 000002
【特許請求の範囲】
【請求項１】
トイレボウル処理組成物供出デバイスであって、ハンガーおよび処理組成物ブロックを備え、前記ハンガーは、
第１の端部および第２の端部を有する長尺な本体部と、
トイレボウルの縁から前記ハンガーを吊り下げるための前記第１の端部におけるフック部と、
前記第２の端部におけるブロック支持部であって、前記支持部の表面から突出する少なくとも一つのフィンガーを有するブロック支持部と、を備え、
前記フック部および前記少なくとも一つのフィンガーは、前記本体部の同じ長手方向面および前記本体部の対向する長手方向面の一方から突出しており、かつ、前記処理組成物ブロックは、この処理組成物ブロックの表面に差し込まれた前記少なくとも一つのフィンガーによって前記ブロック支持部上で保持されることを特徴とする供出デバイス。
【請求項２】
それぞれが、前記支持部から同じ方向に延在している複数のフィンガーを備えることを特徴とする請求項１に記載の供出デバイス。
【請求項３】
前記支持部には二つのフィンガーが存在することを特徴とする請求項１または請求項２に記載の供出デバイス。
【請求項４】
前記支持部には三つのフィンガーが存在することを特徴とする請求項１または請求項２に記載の供出デバイス。
【請求項５】
前記少なくとも一つのフィンガーは、細長い断面を有する前記支持部の一部分の上に配置されることを特徴とする請求項１ないし請求項４のいずれか１項に記載の供出デバイス。
【請求項６】
前記少なくとも一つのフィンガーは、前記支持部から、前記本体部の、前記ハンガーと同じ長手方向面に向かって延在していることを特徴とする請求項１ないし請求項５のいずれか１項に記載の供出デバイス。
【請求項７】
前記少なくとも一つのフィンガーおよび前記ハンガーは、前記本体部の対向する長手方向面において突出していることを特徴とする請求項１ないし請求項５のいずれか１項に記載の供出デバイス。
【請求項８】
前記少なくとも一つのフィンガーは前記処理組成物ブロックの表面に差し込まれ、それによって、そこから前記少なくとも一つのフィンガーが突出する前記支持部の表面は、そこに前記フィンガーが差し込まれる前記処理組成物ブロックの表面に当接することを特徴とする請求項１ないし請求項７のいずれか１項に記載の供出デバイス。
【請求項９】
前記当接面は平坦であることを特徴とする請求項８に記載の供出デバイス。
【請求項１０】
前記ブロックは円柱形であることを特徴とする請求項１ないし請求項９のいずれか１項に記載の供出デバイス。
【請求項１１】
前記ブロックは、切断処理が施された二つの対向面を有し、かつ、前記少なくとも一つのフィンガーは、前記対向する面以外の前記ブロックの表面に差し込まれていることを特徴とする請求項１ないし請求項１０のいずれか１項に記載の供出デバイス。
【請求項１２】
前記少なくとも一つのフィンガーは、グリップを改善するために、鋸歯状にされるか、返しが付けられるか、あるいは凹凸が形成された表面を有する少なくとも一部分を有することを特徴とする請求項１ないし請求項１１のいずれか１項に記載の供出デバイス。
【請求項１３】
前記少なくとも一つのフィンガーは、前記ブロックの厚みの少なくとも２０％でありかつ１００％以下の、好ましくは５０ないし９５％、より好ましくは６０ないし８５％、最も好ましくは７０ないし８０％の長さを有することを特徴とする請求項１ないし請求項１２のいずれか１項に記載の供出デバイス。
【請求項１４】
前記処理組成物ブロックは、その中にピンが差し込まれた前記表面にチャネルを備え、かつ、前記チャネルは、前記ブロックの前記表面とオーバーラップする前記支持部の前記プロファイルに一致することを特徴とする請求項１ないし請求項１３のいずれか１項に記載の供出デバイス。
【請求項１５】
前記処理組成物ブロックは押し出しブロックであることを特徴とする請求項１ないし請求項１４のいずれか１項に記載の供出デバイス。
【請求項１６】
前記処理組成物ブロックは同時押し出しブロックであることを特徴とする請求項１５に記載の供出デバイス。
【請求項１７】
前記処理組成物ブロックは、好ましくはアニオン性界面活性剤を含む、２０ないし８０wt％の少なくとも一つの界面活性剤と、任意選択で、一つ以上の顔料あるいは染料、寿命延長あるいは寿命短縮剤として作用する一つ以上の添加剤、一つ以上の香料、およびフィラーを含むことを特徴とする請求項１ないし請求項１６のいずれか１項に記載の供出デバイス。
【請求項１８】
前記処理組成物ブロックは、２０ないし６０wt％の少なくとも一つの第１の界面活性剤と、可塑剤として作用する３ないし２０％の少なくとも一つの第２の界面活性剤と、を含むことを特徴とする請求項１７に記載の供出デバイス。
【請求項１９】
前記処理組成物ブロックは、２０ないし６０wt％の、好ましくは２５ないし４０wt％の、さらに好ましくは２８ないし３５wt％のＡＯＳ(８０％)を含むことを特徴とする請求項１７または請求項１８に記載の供出デバイス。
【請求項２０】
前記処理組成物ブロックは、３ないし２０wt％の、好ましくは３ないし１５wt％の、さらに好ましくは４ないし１２wt％のＳＡＳ(９２％)を含むことを特徴とする請求項１７ないし請求項１９のいずれか１項に記載の供出デバイス。
【請求項２１】
トイレボウル処理組成物供出デバイスを製造するための方法であって、
ハンガーを提供するステップであって、前記ハンガーは、第１の端部および第２の端部を有する長尺な本体部と、トイレボウルの縁から前記ハンガーを吊り下げるための前記第１の端部におけるフック部と、前記第２の端部におけるブロック支持部であって、処理組成物ブロックを受けるための、平坦部から突出する少なくとも一つのフィンガーを有するブロック支持部と、を備え、前記フック部および前記少なくとも一つのフィンガーは、前記本体部の同じ長手方向面および前記本体部の対向する長手方向面の一方から突出している、ステップと、
前記処理組成物ブロックの表面に前記少なくとも一つのフィンガーを差し込むステップと、を備えることを特徴とする方法。
【請求項２２】
前記処理組成物ブロックは、押し出し処理、タブレット化処理およびホットメルト処理のうちの一つによって形成されることを特徴とする請求項２１に記載の方法。
【請求項２３】
前記方法は、前記処理組成物を押し出し、そしてブロックへと切断することを含むことを特徴とする請求項２２に記載の方法。
【請求項２４】
前記押し出し処理は同時押し出し処理であり、かつ、前記ブロックは、異なる組成を有する少なくとも二つの別個の部分を有することを特徴とする請求項２３に記載の方法。
【請求項２５】
前記少なくとも一つのフィンガーを差し込む前に、前記ブロックには型枠内で成形処理が施されることを特徴とする請求項２１ないし請求項２４のいずれか１項に記載の方法。
【請求項２６】
前記方法は、水溶性フィルムで前記ブロックを包装するステップを含むことを特徴とする請求項２１ないし請求項２５のいずれか１項に記載の方法。
【発明の詳細な説明】
【技術分野】
【０００１】
本発明は、供出デバイスに対する、特に、トイレなどの衛生設備に対して処理組成物を供給するのに使用されるデバイスに対する改良に関する。
【背景技術】
【０００２】
処理組成物は、一つ以上の化学構成成分、たとえば、ブロックの形態の、着色剤、洗浄剤、殺菌剤、石灰アカ防止剤を含む。処理組成物は、デバイスのブロックと接触する水が一つ以上の化学構成成分と接触状態となることで形成される。ブロックは、供出デバイスのブロックと接触する水とのその後の接触の間、一つ以上の活性剤を長期にわたって放出する。
【０００３】
パラジクロルベンゼンなどの第１の処理組成物が、通常、時間の経過に伴って溶解するルーズブロックとして衛生設備に添加される。ルーズブロックとして使用するためのトイレブロックは、それらはナフタレンベース製品であるだろうが、現在でも依然として一般的である。
【０００４】
通常、洗面所洗浄ブロックは洗面所の水槽内に漬けられ(インタンクあるいはインシスタンブロック)、あるいは洗面所ボウルのリムの下でケージ内で保持され(リムブロック)、あるいは、ときには、たとえば日本では、水槽の上端でケージ内で保持される(オンタンクブロック)。ブロックはゆっくりと溶解し、洗面所ボウル内に有効成分を放出する。
【０００５】
概して、そうしたブロックは、有効成分として、以下の一つ以上を含むことがある。
ｉ)  洗浄作用を提供するための、そしてまたユーザーに対する目印として泡を提供するための界面活性剤
ii)  漂白成分
iii) 主にユーザーに対する目印としての着色剤
iv)  香料
ｖ)  殺菌剤
vi)  石灰アカ調整剤
【０００６】
ブロックが洗浄作用それ自体を提供する程度は、使用される有効成分および水洗サイクルの間に洗面所ボウル内に投与される量に依存する。
【０００７】
ブロックはまた、押し出し、タブレット化などによるブロックの製造を助けるための処理助剤、フィラー、そしてさらに、ブロックの寿命を制御するための溶解度調整剤を含む。ブロックの使用寿命は、特に、ブロック内の物質の量および洗浄水中でブロックが溶ける速度に左右され、これは、主として、ブロックの組成に依存する。
【０００８】
さらに、ブロック寿命は、洗浄水の激しさ、環境温度、洗浄の頻度、そしてトイレ設計に部分的に依存する。これらの要因は、従来、よく知られており、ブロック組成物は、特定のマーケットのために好適な組成を決定する際に、条件の範囲に抗して試験されることがある。
【０００９】
トイレの各洗浄サイクルの間、トイレボウル内に供給される有効成分の量は、今度は、ブロックの、実際のそして認識される特性に、たとえば、界面活性剤あるいはトイレボウルの汚れを落とすための漂白剤の作用、そしてユーザーに対する泡あるいは色合いの外観、あるいは芳香の知覚に影響を与える。
【００１０】
家庭用衛生設備、特に現代的な水洗トイレにおいて使用される、処理組成物を供出するためのデバイスはよく知られている。二つの公知のタイプのデバイスは、そうした衛生設備、特にトイレボウルに、着色および／またはクリーニングおよび／または芳香および／または殺菌効果を提供するために、「インボウル」(ＩＴＢ)あるいは「インシスタン」(ＩＴＣ)デバイスとして使用されることを意図されている。従来公知のある共通のアプローチは、シスタンあるいはトイレのタンク内に少なくとも浸漬されるデバイス(これは、デバイス全体がタンクが満杯であるときに水に完全に漬かるようにトイレタンクの底に配置することでトイレの内部に完全に設置される)あるいはトイレタンク内に存在する水の中に少なくとも部分的に浸漬されるデバイス(そうしたデバイスは、タンクのリップあるいはリムなどのトイレタンクの一部から吊り下げられる)を提供することである。それは、一般に、ＩＴＣデバイスと呼ばれている。
【００１１】
従来公知のさらなる一般的なアプローチは、トイレボウルのリムから吊り下げられかつトイレボウルの内壁にあるいはその付近に配置されるデバイスの提供である。それは概してＩＴＢデバイスと呼ばれる。そうしたデバイスは、通常、ゲルあるいはブロック組成物が洗浄水と接触させられたとき、トイレの内部に処理組成物を供出するよう設計され、あるいは、これに代えて、悪臭を中和あるいは隠すよう意図された芳香組成物をトイレボウルに供出する。通常、現在の市場では、そうしたデバイスは、トイレボウルのリムからケージ部を吊り下げるために使用されるハンガー部を含み、ケージ部は、トイレの各洗浄操作によって供出される流水の経路内に配置される。ケージ部は、通常、デバイスのケージ内に洗浄水が入りそして出て行くことを可能とする複数の孔あるいは開口を備える。通常、固体ブロック組成物あるいはゲル組成物がケージ内に存在する。固体ブロック組成物および／またはゲル組成物は、通常、一つ以上の洗浄成分、たとえば良好な洗浄および／または発泡作用を提供する一つ以上の界面活性剤を含む。たいてい、固体ブロック組成物および／またはゲル組成物は、ある程度の悪臭抑制を実現するために提供された芳香成分を、同様に含む。ほとんどのそうしたデバイスに関して、特にゲル組成物との使用のためにケージの使用は望ましいと考えられており、なぜなら、ゲルは自立性がなく、ケージによって提供される物理的な支持構造体なしては役に立たないからである。固体ブロック組成物に関して、そうした組成物は時間の経過に伴って、一般に弱化しかつ軟化する傾向があり、そしてほとんどはその寿命の間に、特に、その有効寿命の終わりに近づいたときに、膨張しあるいは歪むことが知られている。ケージは、この場合、多孔質レセプタクルとして機能し、そして、さもなければ早期に軟化するか崩壊し、そしてトイレボウル内に落下し、その組成物が実質的に消費される前に流れ出してしまうであろうブロックを支持する。
【００１２】
ケージの使用はあるブロック組成物と共に使用するのに有益であるが、ケージの使用はまた欠点も有する。ケージの使用は、材料コストの増大、そしてさらなる製造ステップを必要とする。さらに、そうしたＩＴＢデバイスは、たいてい、使いきり型デバイスであり、ゲルあるいはブロック組成物が消費されるか使い尽くされると、消費者はＩＴＢデバイスを廃棄するが、これは不経済であり、適切な塵芥処理に関連する問題の一因となる。コストに関して、ハンガー部およびケージ部を備える最も一般的なリム吊り下げ式洗面所デバイスにおいては、通常、大量の素材がケージを形成するために使用される。そうしたケージは、通常、合成ポリマーから製造されるので、それは、リム吊り下げ式洗面所デバイスを形成し、そして使用あるいは販売前に固体ブロック組成物および／またはゲル組成物でケージを満たすために特別な成形作業を必要とする。
【００１３】
従来公知であるのが、パラジクロルベンゼンの洗面所ブロックであるリム吊り下げ式洗面所デバイスであるが、これはクリーニングの利益を提供せず、芳香の利益のみを提供する。そうしたブロックは、通常、パラジクロルベンゼンの昇華によって、かつ／または線浄水との接触によって侵食される。パラジクロルベンゼンのそうしたリム吊り下げ式洗面所ブロックは、通常、一方側から突出する折り曲げ可能なワイヤのループを有する固体ブロックあるいはケークとして包装される。折り曲げ可能なワイヤの一部は、パラジクロルベンゼンブロック内に埋め込まれる。消費者は、パラジクロルベンゼンブロックがトイレボウルの内部に配置されるように、そのトイレの特定の形状に適したハンガーへとワイヤを成形することが求められる。
【００１４】
特許文献１は、衛生設備、好ましくはトイレボウルに、少なくとも一つの処理組成物、好ましくはクリーニング組成物および／または殺菌組成物を供給するのに役立つ洗面所供出デバイスの製造プロセスを開示しており、このプロセスは、押し出し機に組成物を提供し、組成物から押し出し物を形成し、この押し出し物内にハンガーの一部を差し込み、ハンガーの当該部分を被覆あるいはコーティングするために押し出し物を圧縮し、これによって洗面所デバイスを形成することを備える。
【００１５】
特許文献２および特許文献３は、あるケージレス洗面所供出デバイスを開示しており、これは、洗面所処理組成物の塊を押し出し、その後、固体ブロック組成物を高密度化しかつ同時にそれをハンガーに対して取り付けるために、型枠あるいは型枠の対内で押し出し物を型押しあるいは圧縮することによって形成された固体ブロックを含む。当該デバイスは適切に機能するが、組成物は高温での長期保管に関して安定性が十分でないことが判明しており、型押しされた固体ブロック組成物は包装される際に変形しあるいは崩れることが観察された。さらに、ブリスター型パッケージング内に包装する際の当該デバイスの雑な扱いによって、消費者の観点から魅力的でないブリスター型パッケージングとの接触ポイントにおける変形が生じることが観察された。そうした変形は、デバイスがブリスターのキャビティ内に装填されるが、キャビティ内で自由に移動できるという事実に起因する。キャビティの形状に、そして型押しされた固体ブロック組成物の形状に依存して、たとえば型押しされた固体ブロック組成物のエッジにおいて一つ以上の接触ポイントが存在し、キャビティの制限内で動くデバイスは変形し、あるいは、魅力的でない外観をもたらす、そうした接触ポイントでの汚れとなり、そしてまた、ブロックの組成および、デバイスがブリスター型パッケージから取り出される環境の雰囲気温度のそれに依存して、パッケージのブリスターと型押しされた固体ブロック組成物との間の望ましくない張り付きあるいは付着が生じ得る。
【００１６】
したがって、ある公知の従来供出デバイスは有益な処理硬化をもたらすが、それにもかかわらず、衛生製品に有用な処理利益を、好ましくは有用な洗浄利益を提供でき、そして従来デバイスの欠点の一つ以上を克服する、さらに改良されたデバイスを提供することが現実にそして依然として求められている。
【００１７】
特許文献４は、衛生製品の一部から、特にトイレシスタンあるいはトイレタンクの一部から吊り下げられるよう構成された、その一部を有するハンガーと、一つ以上の化学組成物を含む成形固体ブロックとを備えたケージレスの洗面所供出デバイスの製造方法を開示しているが、このデバイスは上記システンあるいはタンクの内部に吊り下げられるよう構成される。関連出願である特許文献５は、衛生製品の一部、好ましくはトイレボウルのリムから吊り下げられるよう構成されたフック端部を有するハンガーと、衛生製品の内部に吊り下げられるよう構成された少なくとも一つの化学剤からなる成形固体ブロックとを備えるケージレス洗面所供出デバイスを開示している。
【００１８】
上記文献は、特許文献６ないし特許文献１３に開示されたもののような公知のケージレス供出デバイスの現代の等価物に関する。
【００１９】
特許文献９は、ＩＴＢ用のケージレスブロックの基本コンセプトが、1960年台から、よく知られていることを示している。
【００２０】
特許文献１２は、ブロックがフックに取り付けられたバック内に収容された製品を開示している。
【００２１】
特許文献１０は、組成物が過度に素早く崩壊するのを防ぐためにトッププレートを有する埋め込まれたプラスチックフックを開示している。ハンガーのステムおよびプレートは、型枠内のバーのための高温混合物内に挿入され、混合ツールハンドルステムの周囲でかつプレートの下方で固まることができる。この文献は、ハンガー上の(キャスト)ブロック(すなわちトイレブロックのためのケージレス供出デバイス)は1970年台前から周知であることを示唆している。特許文献１４は類似の製品を開示している。
【００２２】
特許文献１５は、ボウル内に吊り下げるケイージレス・パラジクロルベンゼンブロックの使用が一般的であることを示唆している。パラジクロルベンゼンブロックは、ハンガーに対して押し付けられ、あるいはモールドされる。
【００２３】
特許文献１６は、物質と係合しかつそれを保持する複数の突起を有する長尺な弾性部材からなるトイレボウル内に物質をリリースするためのディスペンサーを開示している。リリースされる物質は、ゲル、ソープあるいは結晶塩であってもよく、スケルトンに対して押し出されてもよい。
【００２４】
特許文献１７は、ソリッドバーを支持するためのスケルトンを含む、クリーニングデバイスを開示している。ソリッドバーは透明である。
【００２５】
したがって、「ケージレス」ＩＴＢデバイス、そしてまた「ケージレス」ＩＴＣデバイスを歴史的に避ける動きがあった。ハンガー上のトイレブロックは、ケージが存在しない場合、もはや一般的ではなく、なぜなら、それらは商業的に望ましいと考えられなかったからである。さらに、高いレベルの界面活性剤および新しいゲル組成物を含む最新の組成物の出現によって、ケージは、ボウル内での見苦しい外観を阻止するために有用であると考えられた。なぜなら、いくつかの組成物は、ドロドロになる傾向があるからである。当業者が新しい物質を含む有効な組成物が可能であることに疑いを持っていたことは明らかではない。だが、ケージ式デバイスを製造する強い商業的動機が存在していた。
【先行技術文献】
【特許文献】
【００２６】
【特許文献１】欧州特許出願公開第1891197号明細書
【特許文献２】国際公開第2007/107750号パンフレット
【特許文献３】国際公開第2007/107755号パンフレット
【特許文献４】国際公開第2010/001091号パンフレット
【特許文献５】国際公開第2010/001092号パンフレット
【特許文献６】米国特許第3,088,126号明細書
【特許文献７】米国特許第3,217,338号明細書
【特許文献８】米国特許第3,290,699号明細書
【特許文献９】米国特許第3,604,021号明細書
【特許文献１０】米国特許第3,668,717号明細書
【特許文献１１】米国特許第5,987,655号明細書
【特許文献１２】独国特許出願公開第8906140号明細書(スイス国特許第675140号明細書)
【特許文献１３】欧州特許出願公開第1418225号明細書
【特許文献１４】独国特許発明第1879599号明細書
【特許文献１５】米国特許第3,947,901号明細書
【特許文献１６】英国特許第2,368,854号明細書
【特許文献１７】欧州特許出願公開第1287108号明細書(国際公開第2001/88078号パンフレット)
【発明の概要】
【発明が解決しようとする課題】
【００２７】
本発明は、特に、ハンガー設計、製造方法ならびにトイレブロックの組成に関して、ケージレス供出デバイスの分野の、さまざまな改良を提供する。
【課題を解決するための手段】
【００２８】
本発明のある実施形態では、上記ブロックは、所望の組成物を押し出し、ハンガー上で押し出されたブロックを支持するためにブロックに直接、ハンガー上のピンを差し込むことによって製造される。本発明は、ハンガーにピン留めされた衛生ブロックを有する供出デバイスを提供する。ハンガーの一部分は、それを経てフィンガーがピン留めされる衛生ブロックの外面に当接する。
【００２９】
本発明はトイレボウル処理組成物供出デバイスを提供するが、これは、ハンガーおよび処理組成物ブロックを備え、ハンガーは、第１および第２の端部を有する長尺な本体部と、トイレボウルの縁からハンガーを吊り下げるための第１の端部におけるフック部と、第２の端部におけるブロック支持部であって、支持部の表面から突出する少なくとも一つのフィンガーを有するブロック支持部とを備え、フック部および少なくとも一つのフィンガーは、本体部の同じ長手方向面および本体部の対向する長手方向面の一方から突出しており、かつ、処理組成物ブロックは、この処理組成物ブロックの表面に差し込まれた少なくとも一つのフィンガーによってブロック支持部上で保持される。
【００３０】
本体部は供出デバイスの長手方向軸線を規定してもよく、フック端部は、本体部の一端から延在すると共に長手方向軸線と整列し、かつ、支持部は逆側端部から延在し、やはり長手方向軸線と整列する。フック部は、主として、デバイスの後部を形成するステム部の一方側に配置可能であり、ステム部の反対側はデバイスの前面である。支持部は、処理ブロックの縁に当接するための平坦面を含んでいてもよい。
【００３１】
上記供出デバイスは、それぞれ、支持部から同じ方向に延在している複数のフィンガーを備えていてもよい。支持部には二つのフィンガーが存在してもよい。
【００３２】
上記少なくとも一つのフィンガーは、細長い断面を有する支持部の一部の上に配置されてもよい。
【００３３】
上記少なくとも一つのフィンガーは、支持部から、本体部の、ハンガーと同じ長手方向面に向かって突出してもよい。これに代えて、上記少なくとも一つのフィンガーおよびハンガーは、本体部の対向する長手方向面において突出してもよい。
【００３４】
上記少なくとも一つのフィンガーは処理組成物ブロックの表面に差し込まれ、それによって、そこから少なくとも一つのフィンガーが突出する支持部の表面は、そこにフィンガーが差し込まれる処理組成物ブロックの表面に当接してもよい。この当接面は平坦であってもよい。
【００３５】
ブロックは円柱形であってもよい。
【００３６】
上記ブロックは、切断処理が施された二つの対向面を有し、かつ、少なくとも一つのフィンガーは、対向する面以外のブロックの表面に差し込まれてもよい。
【００３７】
上記少なくとも一つのフィンガーは、グリップを改善するために、鋸歯状にされるか、返しが付けられるか、あるいは凹凸が形成された表面を有する少なくとも一部分を有してもよい。
【００３８】
上記あるいは各フィンガーは、ブロックの厚みの少なくとも２０％であり、かつ１００％以下の、好ましくは５０ないし９５％、より好ましくは６０ないし８５％、最も好ましくは７０ないし８０％の長さを有していてもよい。
【００３９】
上記処理組成物は、その中にピンが差し込まれた表面にチャネルを備え、かつ、このチャネルは、ブロックの表面とオーバーラップする支持部のプロファイルに一致してもよい。
【００４０】
上記処理組成物ブロックは押し出しブロックであってもよい。上記処理組成物ブロックは同時押し出しブロックであってもよい。
【００４１】
上記処理組成物ブロックは、好ましくはアニオン性界面活性剤を含む、２０ないし８０wt％の少なくとも一つの界面活性剤と、任意選択で、一つ以上の顔料あるいは染料、寿命延長あるいは寿命短縮剤として作用する一つ以上の添加剤、一つ以上の香料、およびフィラーとを含んでいてもよい。
【００４２】
上記処理組成物ブロックは、２０ないし６０wt％の少なくとも一つの第１の界面活性剤と、可塑剤として作用する３ないし２０％の少なくとも一つの第２の界面活性剤とを含んでいてもよい。
【００４３】
上記処理組成物ブロックは、ＡＯＳ(８０％)の２０ないし６０wt％の、好ましくは２５ないし４０wt％の、さらに好ましくは２８ないし３５wt％の等価物を含んでいてもよい。
【００４４】
上記処理組成物ブロックは、ＳＡＳ(９２％)の３ないし２０wt％の、好ましくは３ないし１５wt％の、さらに好ましくは４ないし１２wt％の等価物を含んでいてもよい。
【００４５】
本発明はまた、トイレボウル処理組成物供出デバイスを製造するための方法を提供するが、これは、ハンガーを提供するステップであって、このハンガーは、第１および第２の端部を有する長尺な本体部と、トイレボウルの縁からハンガーを吊り下げるための第１の端部におけるフック部と、第２の端部における衛生ブロック支持部であって、処理組成物ブロックを受けるためのかつ平坦部から突出する少なくとも一つのフィンガーを有する衛生ブロック支持部とを備え、フック部および少なくとも一つのフィンガーは、本体部の同じ長手方向面および本体部の対向する長手方向面の一方から突出している、ステップと、処理組成物ブロックの表面に少なくとも一つのフィンガーを差し込むステップとを備える。
【００４６】
上記処理組成物ブロックは、押し出し処理、タブレット化処理およびホットメルト処理のうちの一つによって形成されてもよい。
【００４７】
上記方法は、処理組成物を押し出し、そしてブロックへと切断することを含んでいてもよい。この押し出し処理は同時押し出し処理であり、かつ、ブロックは、異なる組成を有する少なくとも二つの別個の部分を有していてもよい。
【００４８】
上記少なくとも一つのフィンガーを差し込む前に、ブロックには型枠内で成形処理が施されてもよい。
【００４９】
上記方法は、水溶性フィルムでブロックを包装するステップを含んでいてもよい。
【００５０】
本発明のデバイスは、ブロックに対してハンガーを、あるいはハンガーに対してブロックを単にピン留めすることによって組み立てられるので、ハンガーに対してブロックを押し付ける必要はなく、かつ、ピン留めプロセスはブロックに物質的影響を及ぼさず、高密度化は生じない。
【図面の簡単な説明】
【００５１】
【図１】一実施形態に基づくプロセスを示す概略図である。
【図２ａ】一実施形態に基づくトイレブロックを含むデバイスの変形例を示す斜視図である。
【図２ｂ】一実施形態に基づくトイレブロックを含むデバイスの変形例を示す斜視図である。
【図３ａ】図２ａの実施形態に基づくデバイスを、トイレブロックを欠いた状態で示す斜視図である。
【図３ｂ】図２ｂの実施形態に基づくデバイスを、トイレブロックを欠いた状態で示す斜視図である。
【図４ａ】さらなる実施形態を、トイレブロックが存在する状態で示す斜視図である。
【図４ｂ】さらなる実施形態を、トイレブロックを欠いた状態で示す斜視図である。
【図５ａ】さらなる実施形態に基づく供出デバイスの背面図である。
【図５ｂ】さらなる実施形態に基づく供出デバイスの側面図である。
【図６ａ】トイレブロックに関する基本形状の例を示す図である。
【図６ｂ】トイレブロックに関する基本形状の例を示す図である。
【図６ｃ】トイレブロックに関する基本形状の例を示す図である。
【図６ｄ】トイレブロックに関する基本形状の例を示す図である。
【図７】同時押し出しトイレブロックの形状の一例を示す図である。
【図８】形成されかつ型押しされたトイレブロックの一例を示す図である。
【発明を実施するための形態】
【００５２】
図面を参照すると、図１には、本明細書に開示されたケージレス供出デバイスを製造するためのプロセスが大まかに示されている。
【００５３】
ブロック組成物を形成するために必要な、予混合トイレブロック組成物あるいは構成成分は、押し出し機１の投入ホッパー２に供給される。押し出し機１は、シングルスクリュー押し出し機であってもマルチスクリュー押し出し機であってもよい。複数のスクリューが存在する場合、スクリューは共回転しても、あるいは逆回転してもよい。押し出し機への投入に先立って予め混合あるいはブレンドされない場合、ブロック組成物は概ね均一な塊へと形成され、そして適切な寸法のオリフィスプロファイルを有する適当なダイ３を経て押し出し機の外に出る。通常、押し出し物４は円形断面および約５０ｍｍの直径を有する。ダイ３を出た後、押し出し物４は測定された長さ、すなわち塊へと切断されて、プリフォーム５を形成するために一つ以上の切断ブレード６を用いて分離させられる。押し出し物４をプリフォーム５へと分離させるために、いかなる適当な手段が使用されてもよい。
【００５４】
上記の本実施形態のプロセスは、国際公開第2007/107755号に開示されたそれと類似しており、あるいはそれと同じであってもよい。だが、二つのプロセスは、この点で異なっている。国際公開第2007/107755号のプロセスにおいては、ダイは、ハンガーの少なくともプレートを収容するのに適切な寸法の押し出し物内に、キャビティ、チャネルあるいはリセスを含むように押し出し物を成形し、あるいはこれに代えて、付加的なプロセスステップ、たとえばチャネル切削手段を用いたチャネル切削ステップが実施され、たとえば、ハンガーの一部を後に収容するのに適したサイズのチャネルあるいはリセスを提供するのに適切であるように押し出し物あるいは長さを分割あるいは成形するために、回転ウイングカッター、ノコ、プラウ、ブレードあるいはその他の切断デバイスが押し出し物に、あるいはプレフォームに作用させられるか、それを通過させられる。そうしたチャネルあるいはリセスは、次のプロセスステップにおいてハンガーのプレートの位置決めのために、押し出し物および／またはプリフォームを通って長手方向に延在している。代替プロセスステップにおいては、押し出しに続いて、ハンガーの少なくとも一部、特にハンガーのプレートを続いて収容するのに十分な幅および厚みを有するキャビティあるいはスロットを提供するために押し出し物の小片すなわち切断長に部分的に分割するために使用される、適切な寸法のプランジングプレートなどの、適当なツール手段を用いて部分的に裂かれたようなキャビティが、押し出し物すなわちプレフォームに設けられる。そうしたブレードによって形成されたそうしたキャビティは、プレフォームの長さにわたって、あるいはその端部を経て延在している必要はない。国際公開第2007/107755号の好ましいプロセスにおいては、押し出し物がダイ１１４を出るとき、チャネルがダイを通過する押し出しによって設けられるが、これは、ダイの開口断面内へと延在するブレードあるいは別なカッター手段を含み、したがって押し出し物がダイを出るとき、それには、押し出し物を「Ｖ」の脚(これは各脚のベースに取り付けられたままである)へと部分的に分割するそうしたチャネルが設けられる。そうしたチャネルはプレフォームの長さにわたってかつその端部を経て延在してもよい。続いて、国際公開第2007/107755号においては、ハンガーのプレートがチャネルあるいはキャビティの内部に差し込まれ、これによってプレートはプレフォームの内部に埋め込まれる。
【００５５】
図１のプロセスにおいては、国際公開第2007/107755号のプロセスとは反対に、キャビティあるいはチャネルはプリフォーム内に設けられない。以下で説明する実施形態においては、チャネルはブロックの主面に設けることができ、この結果、ハンガーはブロック内で奥まった所におかれるが、ハンガーにはプレートに関する要求は存在しない。なぜなら、本発明では、国際公開第2007/107755号のように、ブロック内にプレートを埋め込みかつブロックを圧縮することによってブロックはハンガーに対して固定されないからである。国際公開第2007/107755号では、ダイ圧縮ステップにおいて、差し込まれたハンガーを有するプリフォーム１２２が対向するダイ１３０間に導入され、そして対向するダイは、そこから圧縮された固体ブロック５０が形成される押し出し物の密度よりも、少なくとも１.５％だけ、好ましくは２％、圧縮された固体ブロックの組成物を高密度化するだけでなく、圧縮された固体ブロック組成物を形成すると共にそれをプレート３０に対して張り付けるために互いに近接させられる。形成されたケージレス手洗所デバイス１０は続いてダイから取り出されて、直ぐ使用できる状態となり、あるいは、これに代えて、販売可能な製品を形成するために適当なパッケージ内に包装されてもよい。
【００５６】
図１のプロセスにおいて、プリフォーム５は実質的に続いて型内に装填されるが、これは対向するダイ７からなっていてもよい。プリフォーム５は、たとえばラム８およびアンビル９などの適当な圧縮手段によって、ダイ７間で圧縮される。任意選択で、次のプロセスステップでのダイ内へのプリフォーム５の装填に先立って、型の内面の一つ以上に離型剤あるいは鉱油あるいはパラフィン油などのその他の潤滑剤がスプレーされてもよい。
【００５７】
成形ブロック１０を形成するためにプリフォーム５が圧縮された後、成形ブロック１０は型から取り出され、そして任意選択で、冷却可能となる。ケージレストイレブロックの形態の、処理組成物を含む供出デバイス１００を形成するために、(以下で説明する)ハンガーのピンが続いてブロック１０の表面に直接差し込まれる。このデバイスは、販売可能な製品を形成するために包装されてもよい。供出デバイスとの用語はまた、トイレブロックと組み合わせる前のハンガーを指すのに使用されることもある。
【００５８】
最も基本的な形態では、本発明は成形ステップを必要としない。なぜなら、押し出しおよび分離プロセスによる製品は、円柱形であってもよい完成したトイレブロックであってもよいからである。円形断面は、市販のトイレブロックに関して、公知の形状であるが、その他の形状も公知である。成形プロセスの一つの利点は、ブロックを、図２ａ、図２ｂおよび図４ａに示すもののような、より人目を引く三次元デザインへと再成形できることである。ある組成物はまた、成形／圧縮ステップの間の、組成物の高密度化によって利益を得ることができる。
【００５９】
ある実施形態では、ハンガーのピンは、切断の後、あるいは、成形ステップが存在する場合には、成形の後にブロックの表面に直接差し込まれる。トイレブロックの組成に依存して、ハンガーピンの差込前の時間の長さは調整可能である。ある組成はハンガーピンを直ちに差し込むことを可能とし、ほとんどの場合には、組成物がブロックに対するダメージを伴わずにピンを受け容れることができるように、ハンガーピンはブロックが完全に冷えるかあるいは固まる前に差し込まれるべきである。ピンを差し込む際に組成物が固すぎる場合、ブロックへの内部ダメージによって、ブロックは使用時に直ぐに壊れてしまう。逆に、ある組成物に関して、ピンを差し込む前にブロックが完全に固まっていない場合、さらなる凝固あるいは硬化は、ハンガーに対するブロックの固定を改善するために、ブロック組成物がピンの形状に合致することを、そしてピンに対して収縮することを可能とする。
【００６０】
ダイから成形製品を取り出すための多くの技術が知られているが、ある実施形態では、ダイの一方は、表面仕上げを損傷させたりあるいはそれに悪影響を与えることなく、ダイから成形されたブロックを放出するために、手動あるいは自動で動作させることが可能な可動部を有していてもよい。
【００６１】
図１は、ある可能なプロセス手順を示しているが、その他も可能である。たとえば、
(１)成形されたバーを形成するために押し出し、そしてある厚みあるいは重量へと切断する。ハンガーは簡素なジグを介してブロックに差し込まれる。
(２)成形されたバーを形成するために押し出し、そしてある厚みあるいは重量へと切断し、再成形すなわち３Ｄパターンを付与するために型枠内に押し込み、リリースし、その後、簡素なジグを介してフックを差し込む。
(３)成形されたバーを形成するために押し出し、そしてある厚みあるいは重量へと切断し、水溶性フィルムを密着状態で巻き付け、再成形すなわち３Ｄパターンを付与するために型枠内に押し込み、リリースし、その後、簡素なジグを介してフックを差し込む。任意選択で、水溶性フィルムは、ピンの挿入を助けるために、予め裂け目が形成されていてもよい。
(４)成形されたバーを形成するために押し出し、そしてある厚みあるいは重量へと切断し、簡素なジグに、あるいは型枠に、フックのピンあるいはハンガーを装填し、再成形すなわち３Ｄパターンを付与するために型枠内に押し込み、リリースし、その後、組み立てられたユニットを包装する。
【００６２】
上記プロセスは全て一続きであってもよいが、同様に、圧縮と共に裂け目が形成されてもよく／３−Ｄ成形プロセスなどは後で実施されてもよい。
【００６３】
上記選択肢３に関して、トイレブロック用の水溶性フィルムが周知である。驚くべきことに、そうしたフィルムは、成形の後、ブロックの取り出しを助けることができることが分かっている。フィルムは、ピンの差し込みを容易にするために、そして成形されたブロック上に正確なポジションでフィルムが定着することを可能とするために、分割することができる。
【００６４】
さらに、上記供出デバイスは、トイレブロック内にハンガーのピンを差し込むことによって簡単に組み立てることができるので、押し出しプロセスはただ一つの実施可能なプロセスである。上記ブロックはまた、従来よく知られたような、タブレット化プロセスあるいはキャスティング(ホットメルト)プロセスによって形成することができる。
【００６５】
図２ａおよび図２ｂは、押し出しに続く成形ステップにおいて得られた成形形状を有するブロックを含む完成製品を示している。ブロック１０はハンガー２０に対してピン留めされている。ハンガー２０は、飾りステム部２１およびハンガーあるいはフック部２２を含む。
【００６６】
成形プロセスから得られたトイレブロックの形状はブロックの溶解の速度に影響を与える。不規則な形状は、バラつきのある溶解を生じるであろう。図示する形状は均一な溶解と、良好な寿命終了ポイントとを実現する。
【００６７】
図３ａは、図２ａおよび図２ｂのデバイスに基づく実施形態に基づくハンガーを示している。ハンガー２０はブロック支持部２３を含み、これはステム２１の単なる延在部であってもよいが、この例では、ブロック１０が使用時に支持部上で支持されたとき、ブロック１０がトイレボウルあるいはその他の衛生設備の壁に適切に載るようにステム２１の平面からオフセットして配置される。支持部は拡大部２４で終わっているが、これは、ブロックが固定されるときブロックに当接し、さらなるサポートを提供する。拡大部２４は、この実施形態では、二つのフィンガーあるいはピン２５を支持するが、これはブロックの表面に差し込まれる。この実施形態では、ブロックは向き合う主面を有し、その一方に装飾が施され、そしてデバイスがトイレボウルリム上のポジションにあるときに外側に面するよう意図されている。他の面は実質的に平坦であり、かつ、支持部２３および／または拡大部２４の平坦面に当接する。この実施形態では、ピン２５はブロック１０の非装飾主面に差し込まれる。もちろん、ブロックの両面に装飾が施されてもよい。最も簡単な形態では、ブロックには装飾が施される必要はなく、さらに成形されてなくてもよい。ピン２５はブロックの適当な表面に差し込むことができる。
【００６８】
変形例を図３ｂに示すが、これは拡大部２４を含んでいない。図３ｂの支持部２３は直線状であり、やはり二つのピン２５を支持している。
【００６９】
図３ａおよび図３ｂのハンガー２０のそれぞれは二つのピン２５を備える。各ピンは、ブロックがサポートから滑り落ちる可能性を低減するために、鋸歯状にされるか、あるいは凹凸が形成される。ピンは返しが付けられても、あるいは単に凹凸が形成されてもよい。ピンは、互いに平行に、そして支持部２３の平面に対して直交するように延在するよう示されている。だが、ピン２５はまた、支持部の平面に対して斜めに、そして互いに広がるかあるいは収束するように形成されてもよい。平行なピンはブロック内に差し込むのが容易である。
【００７０】
ピンの数は二つである必要はなく、ただ一つのピンでもブロックをハンガーに対して固定するのに十分である。二つのピンはハンガー上でのブロックの保持を改善し、サポート部２３に対するブロックの回転を阻止し、そして不均一な溶解およびその他の好ましくない製品特性を抑制することが判明している。別なピン形態が可能であり、とくに、三つのピンが好ましいであろう。ピンの長さは重要であり、(対向する面にピンが挿入される面から)トイレブロックの厚みの概ね半分超のピン長さは、サポート上でのブロックの保持と、ピン差し込み時のブロックへのダメージ抑制との間の妥当なバランスを提供する。ピンは、ブロックの厚みの少なくとも２０％で１００％以下の、好ましくは５０ないし９５％、さらに好ましくは６０ないし８５％、最も好ましくは７０ないし８０％の長さを有するべきである。特定の例では、ブロックは１３ｍｍの厚みであり、かつ、ピンは１０ｍｍの長さである。
【００７１】
図３ａおよび図３ｂのハンガー２０のそれぞれは、スタンドオフピン２６を含むが、これは、ブロックがトイレボウル上に載らないが洗浄水の流れの中に存在するように構成されてもよい。いくつかの組成物は、デバイスが動かされるとき、衛生製品に張り付き、後を残す。部分２６は、図２および図３に示すそれとは反対の方向に面するようにモールドされてもよく、そして、そうした形態では、部分２６はブロックをハンガーに対して結合させるためのガイドとして機能する。これに関しては、図４の実施形態も参照されたい。特定の実施形態では、ブロックは１２.５ｍｍの厚みであり、かつ、ピンは１０ｍｍの長さである。
【００７２】
ハンガーは長尺であり、ステム部はフック部２２を備えたハンガーの長手方向軸線を規定しており、かつ、支持部２３は概してステム部の軸線と整列している。すなわち、部分２１,２２および２３のそれぞれの軸線は同じ平面内に存在する。
【００７３】
図２および図３の後方ピン留めトイレディスペンサーの利点は、おそらく僅かではない拡大部２４が、使用時に、ブロックの後方に隠れることである。ピンは、使用時、前方に突出するので、ブロックが消耗するとき、ピンは露出状態となり、この時点でディスペンサーを廃棄しようとするであろうユーザーに対して寿命終了の目安を提供する。図３および図４の後方ピン留めトイレディスペンサーはまた、たとえば図４の前方ピン留めバージョンよりも、より幅狭な(トイレブロックの前面からハンガーの後部までの)全幅を有する。後方ピン留めバージョンは、したがって、よりスペース効率のよい様式で包装できる。
【００７４】
図４ａおよび図４ｂは、図２および図３の実施形態に対する代替例を示している。図４において、ブロック１０は前部(すなわちブロックの装飾側)にピン留めされ、かつ、ピンは、フック部２２の方向に支持部から「後方」に突出する。使用時、したがって、支持部は、デバイス１００がトイレボウルリムに対して掛止されるとき、ユーザーから見てブロックの前方にある。この実施形態では、スタンドオフ部２６はトイレボウルに作用しないが、その代わりに、ピンと同じ方向に突出し、かつ、サポート上のブロックを保持するのを助ける役割を果たす。そうした例では、単一のピンが使用される。なぜなら、ブロックは、スタンドオフ部２６によってピン上で回転しないように保持されるからである。
【００７５】
図４ａはブロック１０内に埋め込まれたシングルピンを示し、そして図４ｂは二つのピンを有するハンガー２０を示している。図４ａおよび図４ｂに示す前方マウントブロックデバイスは、ボウル壁に対してブロックのさらに多くの安定した位置決めを実現し得る。
【００７６】
図２および図３の後方マウントデバイスは改良された外観についての利点を有する。というのは、ハンガーのサポート部２３が成形されたトイレブロックを覆い隠さないからである。ブロックの前面にはプラスチックは、そして中心にはピンは存在しない。一方で、後方マウントブロックは、サポート部の周囲の水流のために、ムラのある溶解を防止することに関して、設計問題を生じるという欠点を有するかもしれないことが考えられる。さらに、図４の前方ピン留めバージョンは、より安定的にハンガー上でブロックを保持することが判明している。なぜなら、ハンガーは、使用時、拡大部２４とトイレボウルとの間でブロックに対して圧力を加えるからである。
【００７７】
試験の際に、前方ピン留めデバイスは、後方ピン留めデバイスに比べて、良好な溶解プロファイルに関して、優れた機能を発揮した。拡大部２４は、どの程度ブロックが均一に溶解するかに関して重要な役割を果たすシールドを提供する、と考えられる。これに代えて、トイレボウルに向かってブロックに加えられる圧力は、よりバラつきのない位置決めを可能とするであろう。
【００７８】
二つのピンデバイスはまた、一つのピンデバイスよりも、さらに安定でかつ均一な溶解特性を示す。
【００７９】
前方ピン留めデバイスのピンは、使用時、トイレボウルに向かって後方に突出するので、このピンは、ブロックが溶けるとき、拡大部２４によって見えないように隠れる。このピンは、使用時、ユーザー側を向かないように安全に突出する。
【００８０】
図５はさらなる実施形態を示しており、ここで、形成ブロックは、ハンガー２０のサポート部２３を受けるためのチャネル２７を表面に含む。チャネル２７の深さは、図５ｂに示すように、サポート部２３の奥行きと概ね同じであり、製品の背面は実質的に平坦である。サポート部材が、チャネル２７を持たないブロック１０の表面に当接しかつサポート部の厚みだけそこから突出する場合、洗浄水はサポート部材の側方を流れ落ちようとし、この作用は、水流集中状態を変化させ、特にサポート部２３の周囲でより集中した状態とさせる。トイレブロックの表面のチャネル２７あるいはリセス内にサポート部２３を配置することで、こうした作用が軽減され、そしてブロックの改善された溶解が実現される。より深いチャネルは、より長い間、有害な作用を遅らせるであろう。
【００８１】
図６ａ、図６ｂ、図６ｃおよび図６ｄは供出デバイスの変形例を示している。図示する例において、フックは平坦であるが、さもなければ、上述したフックあるいはハンガーに一致する。ある実施形態と関連付けて説明した本発明の要素は、当業者には自明であるように、別な要素と組み合わせることができる。図６において、実施例は、押し出された物質を切断した後、それに続く成形ステップを必要としない、押し出しプロセスのみによって製造された異なるブロック形状を有する。
【００８２】
図６ａは同時押し出しブロック１０を示しており、ここで、内側部分が装飾的パターンを提供するように成形され、一方、ブロック自体の輪郭は単純な円である。このようにして、デバイスの水流特性に有害であるかもしれないブロックの外側輪郭を持たずに、複雑かつ不規則なパターンをブロックのために実現できる。この特性はデバイスの性能にとって重要であり、そして、水流特性に影響を与えるデバイス要因は、主として、ハンガー設計(ピンの数およびピンのポジションを含む)ならびにブロックデザインである。複雑化されたあるブロック形状は、使用時に、均一な溶解につながる良好な水流特性を発揮し得る。だが、通常の形状は、同様に、そうした良好な水流特性を発揮しかつ均一な溶解を実現することが分かっている。前方ピン留めデバイスはその他の要因によって影響され難く、安定した溶解特性を発揮し得るであろうことが分かっている。
【００８３】
図６ｂは、Ｄ形状プロファイルを備えた別な単純な押し出しブロックを示している。この形状の利点は、サポート部のピンが押し出しブロックの平滑な側壁に差し込まれ、切断部分は図６ｂにおいてブロックの上端および下端に配置されることである。対照的に、図６ａのブロックは切断面に直に差し込まれるピンを有しており、これは、ブロックの溶解に関して、あまり望ましくない特性をもたらす可能性がある。切断面は、概して、美観的に好ましくないかもしれない。なぜなら、切断面は内部的な欠陥を露出させるからである。押し出し素材の事前処理(たとえばＺブレード混合)は、内部欠陥の重大性を低減するであろう。図６ｃおよび図６ｄは後方ピン留めバージョンを示す。
【００８４】
図７はブロックのさらなる変形例を示しており、これは、二つの組成ブロックを製造するために同時押し出しプロセスによって製造されている。内側および外側部分は、異なる色、芳香、洗浄作用、作用物質あるいは寿命を有する、異なる組成を有し得る。同時押し出しされた２部分ブロックおよびその製造方法は国際公開第2006/070209号に開示されている。図７の供出デバイスは後方ピン留め型として示されているが、先に説明したような前方ピン留め型であってもよい。図７のブロックの形状は、同時押し出し切断プリフォームのそれに続く成形によって形成でき、あるいは、押し出しブロックは、図７に示す断面あるいはその他の所望の断面を有することができる。図７のブロックの外部輪郭は複雑で、ブロックの不均一な溶解につながり得る多くの凹部を有する。水は凹部に沿って流れるので、ブロックは凹部において素早く消耗し、そしてボウル内での位置などのランダムな要因は、ブロックの形状が均一であってもブロックを不均一に溶解させがちである。Ｄ形状あるいは円などの簡単な輪郭は、満足できる特性をより発揮するであろう。だが、複雑な形状は極めて良好な特性を発揮でき、そして、たとえば図２ａおよび２ｂに、そして以下で図８示す形状は、驚くべきことに、均一な溶解に関して、優れた特性を有することが判明した。
【００８５】
図８は、いわゆる３−Ｄプロファイルを有する成形された製品の実施例を示している。すなわち、ブロックの形状は周縁のみで規定されるだけでなく、起伏パターンもまた少なくとも一つのブロックの前面に存在する。型押しされた面は、図１に関して説明したように、それに続く成形ステップにおいて形成される。図８のブロックはまた、外側部分とは異なる組成を有する中心部分を有する同時押し出しブロックである。
【００８６】
上記ハンガーのいずれかが、何らかの適当な組み合わせで、上記ブロックのいずれかと共に使用されてもよい。
【００８７】
押し出しプロセスに関して実施形態を説明したきたが、トイレブロックを型を用いて形成するのは非常に一般的であり、上記フックのいずれかは、潜在的に、型を用いて形成されるかあるいはタブレット状とされたブロックと共に使用することも可能である。
【００８８】
［実施例］
押し出し製品のための組成物は以下の範囲で製造された。
アニオン界面活性剤／発泡剤  ２０〜６０％
(たとえばアルファオレフィンスルフォン酸塩(ＡＯＳ)(８０％))
アニオン界面活性剤／可塑剤  ３〜２０％
(たとえば硫酸第二アルキル(ＳＡＳ)(９２％))
顔料および染料  ０〜０.５％
香料  ０〜８％
ライフエクステンダー、たとえばNeodol91あるいはパイン油  ０〜５％
ライフショートナー、たとえばミネラル油  ０〜５％
フィラー、たとえば硫酸ナトリウム  残り
ここで、ＡＯＳ８０％は、HuntsmanからのNansa LSS４８０である。
ここで、ＳＡＳ９２％は、ClariantからのHostapur SAS９３Ｇである。
Neodolは、ShellからのC9-C11第一アルコール(ライフエクステンダーとして使用される疎水性油)である。その他の疎水性油が寿命の延長あるいは短縮するために使用できる。たとえばミネラル油はブロックの寿命を短縮するであろう。ライフエクステンダー(あるいはショートナー)の使用は任意であり、その使用は、たとえば、コストおよび香料濃度に依存する。
【００８９】
顔料、染料、香料、ライフエキステンダーあるいはショートナー、およびフィラーは全て任意のものである。最も商品として適した組成物は、顔料および染料、香料およびフィラーを含む。
【００９０】
ある香料は１００％芳香物質であり、一方、他のものは４５％までの、ジプロピレングリコール(ＤＰＧ)などのキャリアを有する。当業者にとって明らかであるように、正確な押し出し固さ、寿命および芳香特性を実現するために、香料の油含有量に依存して、さらなる油、たとえばライフエキステンダーあるいはショートナーの添加が選択される。
【００９１】
組成物は、同様に、付加的な油を使用せずに、香料のみを使用できる。選択は、純粋に、商品プライスターゲットあるいは所望の寿命を満たすことである。
【００９２】
上記組成物は、以下のようにして完成品を形成するために使用された。
ｉ)パウダー混合、油添加、そしてプラウシェアあるいはＺブレード混合システム内での混合
ii)５０ｍｍ直径円柱ブロックの押し出し
iii)所要の厚みへのブロックの切断。この例では約１３ｍｍ(４０ｇ)
iv)熱い状態でのブロックへのフックの取り付け。使用されるフックは図４ｂに示すそれと類似の二つのピンを有する前方ピン留めフックである。
【００９３】
組成物１ないし１２が使用時のその特性をモニターするために試験された。組成物１ないし１２に関する結果は以下の表１に示す。
【００９４】
【表１】
2013531152.tif 000003
【００９５】
組成物のそれぞれは、１５ないし２０度Ｃ、１２洗浄／日で、主水流中においてボウル内で試験されたとき、４週間までの寿命があった。全ての組成物は最初の洗浄から使用時にかなりの発泡レベルをもたらし、そして硬水および軟水において同等の寿命を呈した。各組成物は、ゲル段階を経て均一に溶解した。
【００９６】
例１ないし９は、押し出し時に全く塑性体であり、かつ、直ちに「硬化」しない組成物である。ハンガーのピンは直ちに差し込まれる必要はないが、それは製造プロセスにとって好都合であろう。これらの例は、使用寿命を変更するために、どの程度、組成を容易に変更可能であるかを示しており、そして、どの程度、異なる香料がまた寿命に影響し得るかを示している。たとえば、例１および４は香料を除いて同じ組成を有する。例１は、IFFから得られかつキャリア油を含まないOrange sparkleを利用し、一方、例４は約４１％DPGを含むGivaudanからの香料GreenHytheを利用する。例２および３は、必要ならば、Mineral油の添加が製品の寿命をどの程度短くできるかを示している。例４および５は、Neodolおよびパイン油の使用に関する差を示している。例６および９は、DPGを含まないGivaudanからの香料KeyLimePieの使用と、キャリア油を含まないGivaudanからの香料TotallyEve05concmodの使用との差を示している。例８は例４と比較でき、IFFから得られかつ１０％DPGを有するLavendarSparkle香料は、Givaudanからの香料GreenHytheの利用よりも十分に長い寿命をもたらすことを示している。香料中のキャリア油の含有量は可塑性に影響し得るが、使用される特定の香料は、寿命に関して、さらなる影響を及ぼすであろう。
【００９７】
例１０ないし１２は、押し出し時間に僅かに可塑性を有するが冷却時には素早く硬化する組成物であり、そうした組成物に関しては、製品が熱いうちに、ハンガーのピンを差し込むことが好ましい。例１２は香料LimeTimeＤを含むが、これはSymriseから得ることができる。
【００９８】
本発明者が実施した試験から、香料キャリア(ＤＰＧ他)のパーセンテージは、直接、ブロック硬度、硬化速度あるいは可塑性とは結び付かず、そして実際の香料成分がおそらく大きな作用を有することが明らかである。実際、必要な油の総量は、選択された可塑剤／押し出し助剤、この例ではＳＡＳに依存する。
【００９９】
上記範囲内でＡＯＳおよびＳＡＳを使用する本実施例においては、全油含有量(香料、ライフエクステンダー、ショートニング剤など)は約５.５％以下であるべきことが判明した。だが、添加可能な香料の量は、界面活性剤およびフィラーなどの量に依存して変化する。
【０１００】
香料物質の同一性(キャリアに関係なく)は硬化速度およびブロック硬度に影響を与えるので、異なる芳香タイプの範囲にわたって処理条件を標準化できるように組成物間の類似の物理的特性を維持するために、異なる香料に関して組成は変化する。
【０１０１】
表１の例においては、円柱ブロックが使用されたが、図６ａおよび図６ｂの「Ｄ」形状ブロックによっても良好な結果が得られた。この形状の利点は、それらは円形製品用であるためにピンが切断面に差し込まれないことである。切断面は概して平滑さに欠け、そして表面不完全性のために不均一な溶解につながることがある。もちろん、多くのその他の形状が可能であり、良好な水流を実現する形状は、最もバラつきがないように溶解する。
【０１０２】
したがって、ブロックの形状は非常に重要である。その他の要因としては、ピンポジションおよびピン配置が挙げられる。ハンガーに対する第２のピンの付加は、ハンドリングおよび使用時の進行中位置、すなわちハンガー上でのブロックの保持を助ける。
【０１０３】
本発明のディスペンサーと共に使用可能なその他の組成物は、国際公開第2007/107750号および国際公開第2007/107755号に開示されたものを含む。これらの文献に開示された組成物は非常に特殊なフック設計、そしてブロックの本体部内に拡大プレート部を埋め込むこと、そしてブロックの適切な保持を保証するためにプレートに対して組成物を押し付けることを含むプロセスと共に使用される。だが、そうした組成物は、本明細書に開示されたディスペンサーのハンガーと効果的に機能し得る。本発明のハンガー設計は、したがって、プロセス簡素化の、そして材料使用量の削減の利点を有する。なぜなら、本明細書に開示されたハンガーはプラスチック使用量が約２０％少ないからである。
【０１０４】
国際公開第2007/107750号および国際公開第2007/107755号に開示された組成物は、ココナツモノエタノールアミド(ＣＭＥ)あるいはラウリルモノエタノールアミド(ＬＭＥ)を、ＳＡＳの代わりに使用する。ＳＡＳの使用は可塑性を持つ傾向があり、これは、押し出しのために、そしてフックピン保持のために有利である。ＳＡＳを用いたブロックは、硬化しても僅かに可塑性を維持したままであるが、製造時のあるいは消費者による取り扱いのために粘着性を持たない。たとえば脂肪族アルコールエトキシレート(ＦＡ３０ＥＯ)、あるいはＣＭＥなどの、その他の物質を、添加剤として、あるいはＳＡＳの代わりに使用することは、押し出しの助けとなる。なぜなら、それらは溶解するからである(ただし、低温のブロックは非常に固く、脆化して、特に保持ピンの周囲で破損が生じることがあることが判明している)。これら代替的な押し出しの助けを使用するためには非常に注意深い組成が必要となるであろう。さらに、ＳＡＳの使用は、高い温度および湿度でより安定な吸湿性の低い製品をもたらす。
【０１０５】
国際公開第2007/107750号および国際公開第2007/107755号は、アニオン界面活性剤として直鎖アルコールベンゼンスルフォン酸塩(ＬＡＢＳ)を開示している。だが、ＬＡＢＳの使用は、使用時に「マッシュ」に至るブロックの傾向を増大させがちである。ＬＡＢＳに代えて、ＳＡＳを代表的組成物において使用することは、高に温度および湿度でより安定である吸湿性の低い製品をもたらす。結果的に、ＡＯＳ／ＬＡＢＳに基づく組成物は、そうした厳重なパッケージング要求、ここでは輸送あるいは保管の際に水分の浸入を阻止するために高価なバリアパッケージングを必要としない。
【０１０６】
さらに、こうした従来の組成物は、その製造プロセスを助けるために、そしてまた、組成物に可塑性を持たせるのを助けるために、いぶしたシリカあるいはシリカのほかの形態を使用する傾向がある。
【０１０７】
本発明のさまざまな実施形態について実施例および図面を参照して説明してきたが、特許請求の範囲において規定される本発明の範囲から逸脱しない変形例は当業者にとって自明である。さらに、さまざまな実施例を提示したが、ある実施例に関して説明した特徴は、適切ならば、別な実施例の特徴と組み合わせて使用できる。
【符号の説明】
【０１０８】
１  押し出し機
２  投入ホッパー
３  ダイ
４  押し出し物
５  プリフォーム
６  切断ブレード
７  ダイ
８  ラム
９  アンビル
１０  成形ブロック
２０  ハンガー
２１  飾りステム部
２２  ハンガー(フック部)
２３  ブロック支持部
２４  拡大部
２５  フィンガー(ピン)
２６  スタンドオフピン
２７  チャネル
１００  供出デバイス
【図１】
2013531152.tif 000004
【図２ａ】
2013531152.tif 000005
【図２ｂ】
2013531152.tif 000006
【図３ａ】
2013531152.tif 000007
【図３ｂ】
2013531152.tif 000008
【図４ａ】
2013531152.tif 000009
【図４ｂ】
2013531152.tif 000010
【図５】
2013531152.tif 000011
【図５ｂ】
2013531152.tif 000012
【図６ａ】
2013531152.tif 000013
【図６ｂ】
2013531152.tif 000014
【図６ｃ】
2013531152.tif 000015
【図６ｄ】
2013531152.tif 000016
【図７】
2013531152.tif 000017
【図８】
2013531152.tif 000018
【国際調査報告】
2013531152.tif 000019
2013531152.tif 000020